(57)【要約】  【課題】  非接触媒体を非接触媒体処理装置にかざすだけで玄関にある電気錠が解錠されてしまうことを防止することができる電気錠制御システムを提供する。  【解決手段】  集合玄関子機２０は、住戸を示す住戸番号と暗証番号とを対応させた暗証番号情報を予め記憶する暗証番号情報記憶手段２９と、住戸番号および暗証番号を利用者に入力させる入力部２４とを有し、電気錠制御装置３０は、非接触媒体処理装置５０が非接触ＩＤカード５１から読み取った識別情報を取得する識別情報取得手段３３ｂと、入力部２４で入力された住戸番号に対応する暗証番号情報から得られる暗証番号と入力部２４で入力された暗証番号とが一致し、かつ識別情報取得手段３３ｂによって取得された識別情報と予め記憶されている識別情報とが一致するときに電気錠５２を解錠する電気錠解錠手段３３ｃを有する。【選択図】  図１
2006028959.tif 000002
【特許請求の範囲】
【請求項１】
集合住宅の玄関に設置される玄関端末と、
非接触媒体から前記集合住宅内の住戸を識別するための識別情報を非接触媒体処理装置に読み取らせ、読み取らせた識別情報に基づいて前記玄関にある電気錠を解錠する電気錠制御装置とを備え、
前記玄関端末は、
前記住戸を示す住戸番号と暗証番号とを対応させた暗証番号情報を予め記憶する暗証番号情報記憶手段と、
前記住戸番号および前記暗証番号を利用者に入力させる入力手段とを有し、
前記電気錠制御装置は、
前記非接触媒体処理装置が前記非接触媒体から読み取った識別情報を取得する識別情報取得手段と、
前記入力手段によって入力された住戸番号に対応する前記暗証番号情報から得られる暗証番号と前記入力手段によって入力された暗証番号とが一致し、かつ前記識別情報取得手段によって取得された識別情報と予め記憶されている識別情報とが一致するときに前記電気錠を解錠する電気錠解錠手段とを有することを特徴とする電気錠制御システム。
【請求項２】
集合住宅の玄関に設置される玄関端末と、
非接触媒体から前記集合住宅内の住戸を識別するための識別情報を非接触媒体処理装置に読み取らせ、読み取らせた識別情報に基づいて前記玄関にある電気錠を解錠する電気錠制御装置とを備え、
前記玄関端末は、
前記住戸を示す住戸番号と暗証番号とを対応させた暗証番号情報を予め記憶する暗証番号情報記憶手段と、
前記住戸番号および前記暗証番号を利用者に入力させる入力手段と、
前記入力手段によって入力された住戸番号に対応する前記暗証番号情報から得られる暗証番号と前記入力手段によって入力された暗証番号とが一致するか否かを判定する判定手段と、
前記判定手段によって判定された結果が一致した場合に前記非接触媒体から前記識別情報を読み取るための読取信号を送信する読取信号送信手段とを有し、
前記電気錠制御装置は、
前記玄関端末から送信された読取信号に応じて前記非接触媒体処理装置に電磁波を放射させる電磁波放射手段と、
前記非接触媒体処理装置が前記非接触媒体から読み取った識別情報を取得する識別情報取得手段と、
前記識別情報取得手段によって取得された識別情報と予め記憶されている識別情報とが一致するときに前記電気錠を解錠する電気錠解錠手段とを有することを特徴とする電気錠制御システム。
【請求項３】
前記電気錠制御装置は、前記識別情報取得手段が前記識別情報を取得したときに前記非接触媒体処理装置に前記電磁波の放射を停止させる電磁波停止手段を有することを特徴とする請求項２に記載の電気錠制御システム。
【請求項４】
前記電気錠制御装置は、前記電磁波放射手段が前記非接触媒体処理装置に前記電磁波の放射を開始させた時点から一定時間を計時する計時手段を有し、前記計時手段が前記一定時間を計時したとき前記非接触媒体処理装置に前記電磁波の放射を停止させることを特徴とする請求項２または請求項３に記載の電気錠制御システム。
【発明の詳細な説明】
【技術分野】
【０００１】
本発明は、集合住宅内の住戸を識別するための識別情報が記憶されている非接触媒体から識別情報を非接触で読み取る非接触媒体処理装置を用いて電気錠を解錠する電気錠制御システムに関する。
【背景技術】
【０００２】
従来の電気錠制御システムとしては、図３に示すように、集合住宅内の集合玄関に設置される集合玄関機１００と、集合玄関に取り付けられたオートドア１０３を開閉不能又は開閉自在にするための施解錠を行う集合玄関電気錠１０２と、住戸を識別するための住戸番号を含むＩＤが記憶されているＩＤカード１０７からＩＤを読み取るためのキーリーダ１０６と、各住戸内に設置される居室端末１０８と、住戸玄関に取り付けられた玄関ドア１１０を開閉不能又は開閉自在にするための施解錠を行う住戸玄関電気錠１０９と、住戸玄関に設置される住戸玄関子機１１１と、集合住宅に設置されるエレベータ１０５を制御するエレベータ制御装置１０４と、集合玄関機１００、キーリーダ１０６、居室端末１０８およびエレベータ制御装置１０４をそれぞれ制御する主制御装置１０１とで構成されており、外出等で住戸内を不在としていた居住者は、ＩＤカード１０７からＩＤを読み取るキーリーダ１０６を使用して集合玄関電気錠１０２を解錠し、開閉自在となったオートドア１０３を開けて集合住宅の建物内に入るものが知られている（例えば特許文献１参照）。
【特許文献１】特開２００３−２７４０２６号公報（第７頁、第１図）
【発明の開示】
【発明が解決しようとする課題】
【０００３】
しかしながら、従来の電気錠制御システムでは、居住者が紛失したＩＤカード１０７を居住者でない者が拾う等により取得し、そのＩＤカード１０７をキーリーダ１０６にかざすことで、集合玄関電気錠１０２を解錠して容易に集合住宅の建物内に侵入することができてしまうという問題があった。
【０００４】
本発明は、従来の問題を解決するためになされたもので、非接触媒体を非接触媒体処理装置にかざすだけで玄関にある電気錠が解錠されてしまうことを防止することができる電気錠制御システムを提供することを目的とする。
【課題を解決するための手段】
【０００５】
集合住宅の玄関に設置される玄関端末と、非接触媒体から前記集合住宅内の住戸を識別するための識別情報を非接触媒体処理装置に読み取らせ、読み取らせた識別情報に基づいて前記玄関にある電気錠を解錠する電気錠制御装置とを備え、前記玄関端末は、前記住戸を示す住戸番号と暗証番号とを対応させた暗証番号情報を予め記憶する暗証番号情報記憶手段と、前記住戸番号および前記暗証番号を利用者に入力させる入力手段とを有し、前記電気錠制御装置は、前記非接触媒体処理装置が前記非接触媒体から読み取った識別情報を取得する識別情報取得手段と、前記入力手段によって入力された住戸番号に対応する前記暗証番号情報から得られる暗証番号と前記入力手段によって入力された暗証番号とが一致し、かつ前記識別情報取得手段によって取得された識別情報と予め記憶されている識別情報とが一致するときに前記電気錠を解錠する電気錠解錠手段とを有している。
【０００６】
この構成により、利用者によって入力された住戸番号に対応する暗証番号情報から得られる暗証番号と利用者によって入力された暗証番号とが一致し、かつ非接触媒体から読み取った識別情報と予め記憶されている識別情報とが一致するときのみ電気錠を解錠するため、非接触媒体を非接触媒体処理装置にかざすだけで電気錠が解錠されてしまうことを防止することができる。
【０００７】
また、本発明の電気錠制御システムは、集合住宅の玄関に設置される玄関端末と、非接触媒体から前記集合住宅内の住戸を識別するための識別情報を非接触媒体処理装置に読み取らせ、読み取らせた識別情報に基づいて前記玄関にある電気錠を解錠する電気錠制御装置とを備え、前記玄関端末は、前記住戸を示す住戸番号と暗証番号とを対応させた暗証番号情報を予め記憶する暗証番号情報記憶手段と、前記住戸番号および前記暗証番号を利用者に入力させる入力手段と、前記入力手段によって入力された住戸番号に対応する前記暗証番号情報から得られる暗証番号と前記入力手段によって入力された暗証番号とが一致するか否かを判定する判定手段と、前記判定手段によって判定された結果が一致した場合に前記非接触媒体から前記識別情報を読み取るための読取信号を送信する読取信号送信手段とを有し、前記電気錠制御装置は、前記玄関端末から送信された読取信号に応じて前記非接触媒体処理装置に電磁波を放射させる電磁波放射手段と、前記非接触媒体処理装置が前記非接触媒体から読み取った識別情報を取得する識別情報取得手段と、前記識別情報取得手段によって取得された識別情報と予め記憶されている識別情報とが一致するときに前記電気錠を解錠する電気錠解錠手段とを有している。
【０００８】
この構成により、利用者によって入力された住戸番号に対応する暗証番号情報から得られる暗証番号と利用者によって入力された暗証番号とが一致するときのみ非接触媒体処理装置に電磁波を放射させて非接触媒体から識別情報を読み取ることができるようにするため、非接触媒体を非接触媒体処理装置にかざすだけで電気錠が解錠されてしまうことを防止することができる。
【０００９】
また、本発明の電気錠制御システムは、前記電気錠制御装置は、前記識別情報取得手段が前記識別情報を取得したときに前記非接触媒体処理装置に前記電磁波の放射を停止させる電磁波停止手段を有している。
【００１０】
この構成により、非接触媒体に記憶されている識別情報を取得したときに非接触媒体処理装置に電磁波の放射を停止させるため、非接触媒体処理装置の消費電力を低減することができる。
【００１１】
また、本発明の電気錠制御システムは、前記電気錠制御装置は、前記電磁波放射手段が前記非接触媒体処理装置に前記電磁波の放射を開始させた時点から一定時間を計時する計時手段を有し、前記計時手段が前記一定時間を計時したとき前記非接触媒体処理装置に前記電磁波の放射を停止させる構成を有している。
【００１２】
この構成により、電磁波の放射を開始させてから一定時間を計時したときには電磁波の放射を停止させるため、非接触媒体処理装置の消費電力を低減することができる。
【発明の効果】
【００１３】
本発明は、利用者によって入力された住戸番号に対応する暗証番号情報から得られる暗証番号と利用者によって入力された暗証番号とが一致し、かつ非接触媒体から読み取った識別情報と予め記憶されている識別情報とが一致するときのみ電気錠を解錠する電気錠解錠手段を設けることにより、非接触媒体を非接触媒体処理装置にかざすだけで電気錠が解錠されてしまうことを防止することができるという効果を有する電気錠制御システムを提供することができるものである。
【発明を実施するための最良の形態】
【００１４】
以下、本発明の実施の形態の電気錠制御システムについて、図面を参照して説明する。
【００１５】
本発明の実施の形態の電気錠制御システムを図１に示す。
【００１６】
図１において、電気錠制御システム１は、集合住宅の玄関に設置される集合玄関子機２０と、玄関にある電気錠５２と、住戸を識別するための住戸番号を含むＩＤが記憶されている非接触ＩＤカード５１と、非接触ＩＤカード５１からＩＤを読み取る非接触媒体処理装置５０と、非接触ＩＤカード５１から読み取ったＩＤと予め記憶されているＩＤとが一致したときに電気錠５２を解錠する電気錠制御装置３０と、各住戸内に設置された室内親機４０と、集合玄関子機２０および室内親機４０と通信を行う主制御装置１０とを有する構成である。
【００１７】
例えば、外出等で集合住宅内を不在としていた居住者は、非接触ＩＤカード５１からＩＤを読み取る非接触媒体処理装置５０を使用し、さらに集合玄関子機２０を操作することにより電気錠５２を解錠し、集合玄関に取り付けられた図示しないオートドアなどを開けて集合住宅の建物内に入るようになっている。
【００１８】
集合玄関子機２０は、集合玄関子機２０の動作を制御する集合玄関子機ＣＰＵ２３と、住戸番号と暗証番号とを対応させた暗証番号情報を予め記憶する暗証番号情報記憶手段２９と、来訪者や居住者が住戸番号と暗証番号を入力するための入力部２４と、入力された住戸番号と暗証番号を表示するための表示部２５と、来訪者が住戸内にいる居住者と室内親機４０を介して会話するためのマイク２６およびスピーカ２７と、来訪者が住戸内にいる居住者を呼び出した場合および居住者が暗証番号を入力した場合に入力部２４を操作する操作者を撮像するカメラ２８と、入力部２４で入力された住戸番号に対応する暗証番号情報から得られる暗証番号と入力部２４で入力された暗証番号とが一致するか否かを判定する判定手段２３ａと、判定手段２３ａによって判定された結果が一致したときに非接触ＩＤカード５１からＩＤを読み取るための読取信号を送信する電気錠制御接点部２２と、主制御装置１０と音声データや画像データの通信を行う主制御装置Ｉ／Ｆ２１とを有する構成である。
【００１９】
例えば、入力部２４はテンキー、タッチパネル等で構成され、表示部２５はディスプレイ等によって構成される。また、暗証番号情報記憶手段２９はＲＡＭ（Random Access Memory）、ＲＯＭ（Read Only Memory）等の記憶媒体で構成され、判定手段２３ａは集合玄関子機ＣＰＵ２３が実行するプログラムのモジュールで構成される。
【００２０】
電気錠制御装置３０は、電気錠制御装置３０の動作を制御する電気錠制御装置ＣＰＵ３３と、ＩＤを予め記憶するＩＤ記憶手段３５と、集合玄関子機２０と接続される外部接点入力部３２と、電気錠５２と通信を行う電気錠Ｉ／Ｆ３４と、非接触媒体処理装置５０と通信を行う非接触媒体処理装置Ｉ／Ｆ３１とを有する構成である。
【００２１】
例えば、ＩＤ記憶手段３５はＲＡＭ、ＲＯＭ等の記憶媒体で構成される。
【００２２】
電気錠制御装置ＣＰＵ３３は、上述した読取信号に応じて非接触媒体処理装置５０に電磁波を放射させる電磁波放射手段３３ａと、非接触媒体処理装置５０が非接触ＩＤカード５１から読み取ったＩＤを取得する識別情報取得手段３３ｂと、識別情報取得手段３３ｂによって取得されたＩＤとＩＤ記憶手段３５によって記憶されているＩＤとが一致し、さらに識別情報取得手段３３ｂによって取得されたＩＤに含まれる住戸番号と入力部２４で入力された住戸番号とが一致するときに電気錠５２を解錠する電気錠解錠手段３３ｃと、電磁波放射手段３３ａが非接触媒体処理装置５０に電磁波の放射を開始させた時点から一定時間を計時する計時手段３３ｄと、識別情報取得手段３３ｂによってＩＤが取得されたとき、または計時手段３３ｄによって一定時間が計時されたときに非接触媒体処理装置５０に電磁波の放射を停止させる電磁波停止手段３３ｅとを有する構成である。
【００２３】
例えば、電磁波放射手段３３ａ、識別情報取得手段３３ｂ、電気錠解錠手段３３ｃ、計時手段３３ｄおよび電磁波停止手段３３ｅは、電気錠制御装置ＣＰＵ３３が実行するプログラムのモジュールで構成される。
【００２４】
主制御装置１０は、主制御装置１０の動作を制御する主制御装置ＣＰＵ１２と、室内親機４０と音声データや画像データの通信を行う室内親機Ｉ／Ｆ１１と、集合玄関子機２０と通信を行う集合玄関子機Ｉ／Ｆ１３とを有する構成である。
【００２５】
以上のように構成された電気錠制御システム１について、図２を用いてその動作を説明する。
【００２６】
まず、居住者が帰宅した場合などに住戸番号と暗証番号が集合玄関子機２０の入力部２４で入力され（ステップＳ１）、入力部２４で入力された住戸番号に対応する暗証番号情報から得られる暗証番号と入力部２４によって入力された暗証番号とが一致するか否かが判定手段２３ａによって判定される（ステップＳ２）。判定手段２３ａによって判定された結果が一致した場合に、読取信号が電気錠制御接点部２２によって電気錠制御装置３０に送信される。例えば、電気錠制御接点部２２は接点部が電気錠制御装置３０と接続し、電流を流すことにより読取信号を送信してもよい。電気錠制御装置３０の外部接点入力部３２が受信した読取信号に応じて非接触媒体処理装置５０による電磁波の放射が電磁波放射手段３３ａによって非接触媒体処理装置Ｉ／Ｆ３１を介して開始される（ステップＳ３）。判定手段２３ａによって判定された結果が一致しない場合にはステップＳ１に戻る。次に、非接触媒体処理装置５０に非接触ＩＤカード５１が居住者によってかざされ、非接触媒体処理装置５０によって非接触ＩＤカード５１から読み取られたＩＤが識別情報取得手段３３ｂによって取得された（ステップＳ４）場合に、非接触媒体処理装置５０による電磁波の放射が電磁波停止手段３３ｅによって停止される（ステップＳ７）。次に、識別情報取得手段３３ｂによって取得されたＩＤとＩＤ記憶手段３５によって記憶されているＩＤとが一致するか否かが、さらに識別情報取得手段３３ｂによって取得されたＩＤに含まれる住戸番号と入力部２４で入力された住戸番号とが一致するか否かが電気錠解錠手段３３ｃによって判定され（ステップＳ８）、判定された結果が両方とも一致した場合に電気錠Ｉ／Ｆ３４を介して電気錠５２が解錠され（ステップＳ９）、判定された結果のうち少なくとも一方が一致しなかった場合には動作は終了する。
【００２７】
また、非接触媒体処理装置５０によって非接触ＩＤカード５１からＩＤが読み取られず、ＩＤが識別情報取得手段３３ｂによって取得されなかった場合に、計時手段３３ｄによって計時された経過時間が一定時間以上であるときには（ステップＳ５）、非接触媒体処理装置５０による電磁波の放射が電磁波停止手段３３ｅによって停止される（ステップＳ６）。計時手段３３ｄによって計時された経過時間が一定時間に満たないときにはステップＳ４に戻る。
【００２８】
このような本発明の実施の形態の電気錠制御システムによれば、非接触ＩＤカード５１から読み取ったＩＤとＩＤ記憶手段３５によって記憶されているＩＤとが一致し、さらに入力部２４で入力された住戸番号に対応する暗証番号情報から得られる暗証番号と入力部２４によって入力された暗証番号とが一致するときのみ電気錠５２を解錠するため、非接触ＩＤカード５１を非接触媒体処理装置５０にかざすだけで電気錠５２が解錠されてしまうことを防止することができる。
【００２９】
また、入力部２４で入力された住戸番号に対応する暗証番号情報から得られる暗証番号と入力部２４によって入力された暗証番号とが一致するときのみ非接触媒体処理装置５０に電磁波を放射させて非接触ＩＤカード５１からＩＤを読み取ることができるようにするため、非接触ＩＤカード５１を非接触媒体処理装置５０にかざすだけで電気錠５２が解錠されてしまうことを防止することができ、さらに、入力部２４で入力された住戸番号に対応する暗証番号情報から得られる暗証番号と入力部２４によって入力された暗証番号とが一致するとき以外は非接触媒体処理装置５０による電磁波の放射が停止されているため、非接触媒体処理装置５０の消費電力を低減することができる。
【００３０】
さらに、識別情報取得手段３３ｂによってＩＤが取得されたときに電磁波の放射を停止する電磁波停止手段３３ｅを設けることにより、非接触媒体処理装置５０の消費電力を低減することができる。
【００３１】
さらに、計時手段３３ｄによって一定時間が計時されたときに電磁波の放射を停止する電磁波停止手段３３ｅを設けることにより、非接触媒体処理装置５０の消費電力を低減することができる。
【００３２】
なお、電気錠制御システム１は、非接触媒体処理装置５０が常時電磁波を放射しておき、識別情報取得手段３３ｂによって取得されたＩＤとＩＤ記憶手段３５によって記憶されているＩＤとが一致したときに入力部２４で住戸番号および暗証番号を入力できるようにし、入力部２４で入力された住戸番号に対応する暗証番号情報から得られる暗証番号と入力部２４によって入力された暗証番号とが一致するか否かが判定され、判定された結果が一致した場合に電気錠５２を解錠するような構成としてもよい。このような構成の場合には、暗証番号情報をＩＤカード５１に記憶させることにより、複数の暗証番号情報が暗証番号情報記憶手段２９によって予め記憶される必要がなく、暗証番号情報を登録する図示しない暗証番号登録装置を用いることによって居住者は容易に暗証番号情報を変更することができる。
【産業上の利用可能性】
【００３３】
以上のように、本発明にかかる電気錠制御システムは、利用者によって入力された住戸番号に対応する暗証番号情報から得られる暗証番号と入力手段によって入力された暗証番号とが一致し、かつ識別情報取得手段によって取得された識別情報と予め記憶されている識別情報とが一致するときに電気錠を解錠する電気錠解錠手段を設けることにより、非接触媒体を非接触媒体処理装置にかざすだけで玄関にある電気錠が解錠されてしまうことを防止することができるという効果を有し、集合住宅内の住戸を識別するための識別情報が記憶されている非接触媒体から識別情報を非接触で読み取る非接触媒体処理装置を用いて電気錠を解錠する電気錠制御システム等として有用である。
【図面の簡単な説明】
【００３４】
【図１】本発明の実施の形態における電気錠制御システムのブロック図
【図２】本発明の実施の形態における電気錠制御システムの動作説明のためのフロー図
【図３】従来の電気錠制御システムのブロック図
【符号の説明】
【００３５】
１  電気錠制御システム
１０、１０１  主制御装置
１１  室内親機Ｉ／Ｆ
１２  主制御装置ＣＰＵ
１３  集合玄関子機Ｉ／Ｆ
２０  集合玄関子機
２１  主制御装置Ｉ／Ｆ
２２  電気錠制御接点部
２３  集合玄関子機ＣＰＵ
２３ａ  判定手段
２４  入力部
２５  表示部
２６  マイク
２７  スピーカ
２８  カメラ
２９  暗証番号情報記憶手段
３０  電気錠制御装置
３１  非接触媒体処理装置Ｉ／Ｆ
３２  外部接点入力部
３３  電気錠制御装置ＣＰＵ
３３ａ  電磁波放射手段
３３ｂ  識別情報取得手段
３３ｃ  電気錠解錠手段
３３ｄ  計時手段
３３ｅ  電磁波停止手段
３４  電気錠Ｉ／Ｆ
３５  ＩＤ記憶手段
４０  室内親機
５０  非接触媒体処理装置
５１  非接触ＩＤカード
５２  電気錠
１００  集合玄関機
１０２  集合玄関電気錠
１０３  オートドア
１０４  エレベータ制御装置
１０５  エレベータ
１０６  キーリーダ
１０７  ＩＤカード
１０８  居室端末
１０９  住戸玄関電気錠
１１０  玄関ドア
１１１  住戸玄関子機
【図１】
2006028959.tif 000003
【図２】
2006028959.tif 000004
【図３】
2006028959.tif 000005